(57)【特許請求の範囲】
【請求項１】
入力される交流電圧を整流する整流部と、
前記整流部によって前記交流電圧を整流した後のラインとグランドの間に接続された第一容量素子と、
前記第一容量素子に充電された電荷を放電する第一抵抗と、
前記第一抵抗に接続されており、前記第一抵抗に対して電流が流れる通電状態にするためにオンし、前記第一抵抗への電流を遮断する遮断状態にするためにオフされる第一スイッチと、
前記交流電圧のゼロクロスを検知するための第二抵抗を有するゼロクロス検知部と、
前記交流電圧を前記整流部に供給するための２つのライン間に接続された第二容量素子と、
前記交流電圧の入力が断たれたことを検知する入力電圧検知部と、を有し、
前記入力電圧検知部により、前記交流電圧が断たれたことを検知した場合に、前記第二容量素子に充電された電荷が正の場合に、前記第一のスイッチをオンして前記第二容量素子の電荷を前記第一抵抗を介して放電する第一放電経路を形成し、前記入力電圧検知部により、前記交流電圧が断たれたことを検知した場合に、前記第二容量素子に充電された電荷が負の場合に、前記第一のスイッチのオフ状態を維持して前記第二容量素子の電荷を前記第一抵抗を介して放電する第二放電経路を形成し、
前記第一抵抗の抵抗値は前記第二抵抗の抵抗値よりも小さいことを特徴とする電源。
【請求項２】
入力される交流電圧を整流する整流部と、
前記整流部によって前記交流電圧を整流した後のラインとグランドの間に接続された第一容量素子と、
前記第一容量素子に充電された電荷を放電する第一抵抗と、
前記第一抵抗に接続されており、前記第一抵抗に対して電流が流れる通電状態にするためにオンし、前記第一抵抗への電流を遮断する遮断状態にするためにオフされる第一スイッチと、
前記交流電圧のゼロクロスを検知するための第二抵抗を有するゼロクロス検知部と、
前記交流電圧を前記整流部に供給するための２つのライン間に接続された第二容量素子と、
前記交流電圧の入力が断たれたことを検知する入力電圧検知部と、を有し、
前記入力電圧検知部により、前記交流電圧が断たれたことを検知した場合に、前記第二容量素子に充電された電荷が負の場合に、前記第一のスイッチをオンして前記第二容量素子の電荷を前記第一抵抗を介して放電する第一放電経路を形成し、前記入力電圧検知部により、前記交流電圧が断たれたことを検知した場合に、前記第二容量素子に充電された電荷が正の場合に、前記第一のスイッチのオフ状態を維持して前記第二容量素子の電荷を前記第一抵抗を介して放電する第二放電経路を形成し、
前記第一抵抗の抵抗値は前記第二抵抗の抵抗値よりも小さいことを特徴とする電源。
【請求項３】
前記入力電圧検知部は、充電用抵抗、充電用コンデンサ、充電用コンデンサを放電する放電部を有し、
前記入力電圧検知部により、前記交流電圧が断たれたことを検知した場合であって、前記第二容量素子に充電された電荷が負の場合に、前記交流電圧の半周期毎に、前記充電用抵抗による充電用コンデンサの充電と、前記放電部による充電用コンデンサの放電を繰り返すことにより、前記第一スイッチのオン状態を維持し、
前記入力電圧検知部により、前記交流電圧が断たれたことを検知した場合であって、前記第二容量素子に充電された電荷が負の場合に、前記充電用コンデンサの電圧が上昇し、閾値以上になると、前記第一スイッチをオンすることを特徴とする請求項１に記載の電源。  
【請求項４】
前記整流部の後に並列接続された、第一コンバータと、第二コンバータを有し、
前記交流電圧を検知する電圧検知部を有し、
前記電圧検知部は、前記第一抵抗に流れる電流を用いて、前記交流電圧を検知し、検知した電圧が閾値より低い場合に、前記第二コンバータの動作を停止させることを特徴とする請求項１に記載の電源。
【請求項５】
前記第二容量素子の後に電流ヒューズが接続されており、前記電流ヒューズと前記第二容量素子の間に第三抵抗を介する第三放電経路を有し、
前記第三放電経路は、前記電流ヒューズが遮断した場合に、前記第二容量素子の電荷を前記第三抵抗を介して放電することを特徴とする請求項１記載の電源。
【請求項６】
画像が形成された記録媒体を搬送しつつ加熱する像加熱装置を有し、
前記像加熱装置への電力供給を制御する電力制御手段を有し、
前記電力制御手段は、前記ゼロクロス検知部により検知したゼロクロスに応じて前記像加熱装置への電力供給を制御することを特徴とする請求項１乃至５のいずれか１項に記載の電源を有する画像形成装置。
【発明の詳細な説明】
【技術分野】
【０００１】
本発明は、複写機、プリンタ、ファクシミリ等の画像形成装置に搭載される電源に関する。
【背景技術】
【０００２】
装置に搭載される電源は、交流電源から電力（交流電圧）が供給されるライン間に設けられた容量素子（以降、Ｘコンデンサと称する）を有している場合が多い。このＸコンデンサは、信号ライン間に発生するノイズ（ノーマルモードノイズともいう）を抑制又は低減するために設けられる。ユーザが電源に電力を供給するための電源ケーブルを引き抜いた際に、Ｘコンデンサには交流電源からの電圧による電荷が充電されている場合がある。ユーザが電源ケーブルを抜いた際に、コンセントの端子を触れてしまう可能性あるため、Ｘコンデンサに充電された電荷を放電するための放電抵抗（以降、Ｘコンデンサ放電抵抗）が必要になる。
【０００３】
昨今、装置が動作していない状態（動作待機時）における消費電力を一層低減したいという要求がある。上記のＸコンデンサを放電するためのＸコンデンサ放電抵抗を設けた場合、装置が同際していない状態において、Ｘコンデンサ放電抵抗が電力を消費する。つまり、Ｘコンデンサ放電抵抗が動作待機時における消費電力の低減の妨げになる。電源回路の消費電力が増加してしまうため、電源ケーブルの抜け状態を検知し、Ｘコンデンサの放電を行う方法が用いられている。この課題に対して、電源の消費電力を低減しつつＸコンデンサを放電する方法として、電源ケーブルが引き抜かれた状態を検知してＸコンデンサの放電する構成が、特許文献１に開示されている。特許文献１に記載の方法では、装置が動作していない状態（動作待機時）には、Ｘコンデンサに放電電流が殆ど流れないため消費電力を低減できる。
【先行技術文献】
【特許文献】
【０００４】
【特許文献１】特許第４４４６１３６号
【特許文献２】特開２００３−１９９３４３号公報
【発明の概要】
【発明が解決しようとする課題】
【０００５】
しかし、特許文献１に記載の方法では、電源の回路規模が大きくなるという課題があった。
本発明は、簡易な回路構成で、且つ、消費電力を低減することを目的とする。
【課題を解決するための手段】
【０００６】
上記目的を達成するための本発明の電源は、入力される交流電圧を整流する整流部と、
前記整流部によって前記交流電圧を整流した後のラインとグランドの間に接続された第一容量素子と、前記第一容量素子に充電された電荷を放電する第一抵抗と、前記第一抵抗に接続されており、前記第一抵抗に対して電流が流れる通電状態にするためにオンし、前記第一抵抗への電流を遮断する遮断状態にするためにオフされる第一スイッチと、
前記交流電圧のゼロクロスを検知するための第二抵抗を有するゼロクロス検知部と、前記交流電圧を前記整流部に供給するための２つのライン間に接続された第二容量素子と、前記交流電圧の入力が断たれたことを検知する入力電圧検知部と、を有し、前記入力電圧検知部により、前記交流電圧が断たれたことを検知した場合に、前記第二容量素子に充電された電荷が正の場合に、前記第一のスイッチをオンして前記第二容量素子の電荷を前記第一抵抗を介して放電する第一放電経路を形成し、前記入力電圧検知部により、前記交流電圧が断たれたことを検知した場合に、前記第二容量素子に充電された電荷が負の場合に、前記第一のスイッチのオフ状態を維持して前記第二容量素子の電荷を前記第一抵抗を介して放電する第二放電経路を形成し、前記第一抵抗の抵抗値は前記第二抵抗の抵抗値よりも小さいことを特徴とする。
また、本発明の他の電源は、入力される交流電圧を整流する整流部と、前記整流部によって前記交流電圧を整流した後のラインとグランドの間に接続された第一容量素子と、前記第一容量素子に充電された電荷を放電する第一抵抗と、前記第一抵抗に接続されており、前記第一抵抗に対して電流が流れる通電状態にするためにオンし、前記第一抵抗への電流を遮断する遮断状態にするためにオフされる第一スイッチと、前記交流電圧のゼロクロスを検知するための第二抵抗を有するゼロクロス検知部と、前記交流電圧を前記整流部に供給するための２つのライン間に接続された第二容量素子と、前記交流電圧の入力が断たれたことを検知する入力電圧検知部と、を有し、前記入力電圧検知部により、前記交流電圧が断たれたことを検知した場合に、前記第二容量素子に充電された電荷が負の場合に、前記第一のスイッチをオンして前記第二容量素子の電荷を前記第一抵抗を介して放電する第一放電経路を形成し、前記入力電圧検知部により、前記交流電圧が断たれたことを検知した場合に、前記第二容量素子に充電された電荷が正の場合に、前記第一のスイッチのオフ状態を維持して前記第二容量素子の電荷を前記第一抵抗を介して放電する第二放電経路を形成し、前記第一抵抗の抵抗値は前記第二抵抗の抵抗値よりも小さいことを特徴とする。
【発明の効果】
【０００７】
本発明によれば、簡易な回路構成で電源ケーブルが引き抜かれた際にＸコンデンサを放電することができ、且つ、消費電力を低減することができる。
【図面の簡単な説明】
【０００８】
【図１】本発明に用いる画像形成装置の概略図。
【図２（ａ）】実施例１の電源回路の説明図。
【図２（ｂ）】実施例１の電源回路の説明図。
【図３】実施例１のゼロクロス検知部の説明図。
【図４】実施例１のＸコンデンサ放電手段の説明図。
【図５】実施例１の電源回路の制御シーケンス。
【図６】実施例２の電源回路の説明図。
【図７】実施例２の電源回路の制御シーケンス。
【図８】実施例３の電源回路の説明図。
【図９】実施例４の電源回路の説明図。
【図１０】実施例５の電源回路の説明図。
【図１１】実施例６の電源回路の説明図。
【発明を実施するための形態】
【０００９】
以下、上述した課題を解決するための本発明の具体的な構成について、以下の実施例に基づいて説明する。なお、以下に示す実施例は一例であって、この発明の技術的範囲をそれらのみに限定する趣旨のものではない。
【００１０】
（本発明に適用される装置の一例）
図１は電子写真記録技術を用いた画像形成装置の断面図である。給紙カセット１１に積載された記録媒体としての記録紙はピックアップローラ１２によって１枚だけ給紙カセット１１から送出され、給紙ローラ１３によってレジストローラ１４に向けて搬送される。さらに記録紙はレジストローラ１４によって所定のタイミングでプロセスカートリッジ１５へ搬送される。プロセスカートリッジ１５は、帯電手段１６、現像手段としての現像ローラ１７、クリーニング手段であるクリーナ１８、および電子写真感光体である感光体ドラム１９で１体的に構成されており、公知である電子写真プロセスの一連の処理によって未定着トナー像が記録紙上に形成される。感光体ドラム１９は帯電手段１６によって表面を一様に帯電された後、像露光手段であるスキャナユニット２１により画像信号に基づいた像露光が行なわれる。スキャナユニット２１内のレーザダイオード２２から出射されるレーザ光は、回転するポリゴンミラー２３および反射ミラー２４を経て主走査方向に、感光体ドラム１９の回転により副走査方向に走査され、感光体ドラム１９の表面上に２次元の潜像が形成される。感光体ドラム１９の潜像は現像ローラ１７によってトナー像として可視化され、トナー像は転写ローラ２０によって、レジストローラ１４から搬送されてきた記録紙上に転写される。続いて、トナー像が転写された記録紙は像加熱装置１００に搬送されると記録紙は加熱加圧処理され、記録紙上の未定着トナー像が記録紙に定着される。記録紙はさらに中間排紙ローラ２６、排紙ローラ２７によって画像形成装置本体外に排出され、一連のプリント動作を終える。モータ３０は、像加熱装置１００を含む各ユニットに駆動力を与えている。
【００１１】
定着部１００は、エンドレスベルトと、エンドレスベルトの内面に接触するセラミックヒータと、エンドレスベルトを介してセラミックヒータと定着ニップ部を形成する加圧ローラとを有する。この定着部への電力制御部として、商用電源である交流電源から入力される電力（交流電圧）を、スイッチ素子等を用いて位相制御する。交流電源から供給される交流波形の位相制御には、位相制御の基準となるタイミングとして、交流電源が０Ｖになるタイミング（以降はゼロクロスと称する）に基づき、位相制御を行い電力制御が実行する。２００は画像形成装置で用いる電源回路である。商用電源等の外部電源部４０から供給される交流電源は、電源ケーブル５０を介して、電源回路２００と接続されている。
【００１２】
本発明は、Ｘコンデンサを放電する回路を簡易な構成で実現するために、電源回路のＹコンデンサ用の放電抵抗やゼロクロス検知のためのゼロクロス検知抵抗を兼用するように回路を構成したことを特徴とする。以下、実施例に基づき、本発明の特徴部を詳細に説明する。
【００１３】
（実施例１）
図２（ａ）は本実施例の停電検知手段を備えた電源回路２００を示している。なお図２（ｂ）は本実施例の変形例であり後述する。外部電源部４０は、大地の電位への接地点グランド（以下、ＧＮＤとする）及び、交流電源２０１で構成されている。交流電源２０１は、ＬＩＶＥラインとＮＥＵＴＲＡＬライン間に交流電圧を出力している。本実施例では外部電源部４０において、ＮＥＵＴＲＡＬラインがＧＮＤに接地されている例を用いて説明する。ただし、本実施例の効果は、ＬＩＶＥ側がＧＮＤに接地されている場合でも有効である。また、画像形成装置のフレームグラウンド（以降はＦＧと称する）がＧＮＤと接続されていない状態でも、後述するゼロクロスの検知精度を満足できる。本実施例では外部電源部４０と電源回路２００は、ＬＩＶＥ、ＮＥＵＴＲＡＬ，ＧＮＤの３つのラインで接続されている。画像形成装置のＦＧは、ＧＮＤラインと接続されている。交流電源２０１から供給されている交流電圧はブリッジダイオードＢＤ１で全波整流され、１次平滑コンデンサＣ２で平滑されている。Ｃ２で平滑された低い側の電位をＤＣＬ、高い側の電位をＤＣＨとする。
【００１４】
ブリッジダイオードＢＤ１及び、１次平滑コンデンサＣ２で全波整流された後段には、コンバータ１が接続されている。コンバータ１は絶縁型ＤＣ／ＤＣコンバータであり、１次側のＤＣ電圧から、２次側にＤＣ電圧Ｖ１を出力している。
【００１５】
ゼロクロス検知部２０２を説明する。交流電源２０１から供給される、ＮＥＵＴＲＡＬラインの電位がＬＩＶＥラインの電位より高い場合、第二容量素子であるＸコンデンサＣ１を放電する第二放電抵抗としてのＸコンデンサ放電抵抗Ｒ２を介して、ゼロクロス検知部２０２に電流が流れる。Ｘコンデンサ放電抵抗Ｒ２から供給された電流が、ゼロクロス検知部２０２のトランジスタＱ２のベース端子に流れると、トランジスタＱ２はＯＮ状態となる。抵抗Ｒ５及びコンデンサＣ５はトランジスタＱ２の動作タイミングの調整に用いている。トランジスタＱ２がＯＮ状態になると、フォトカプラＰＣ１の１次側ダイオードに印加される電圧が低下し、フォトカプラＰＣ１の２次側トランジスタはＯＦＦ状態となる。フォトカプラＰＣ１の２次側トランジスタがＯＦＦ状態になると、コンバータ１の出力Ｖ１によって、プルアップ抵抗Ｒ７を介して、Ｚｅｒｏｘ信号の電圧が上昇し、ＣＰＵ２０３はＺｅｒｏｘ信号のＨｉｇｈ状態を検知する。ＮＥＵＴＲＡＬラインの電位がＬＩＶＥラインの電位より低い場合、Ｘコンデンサ放電抵抗Ｒ２には電流が流れないため、トランジスタＱ２はＯＦＦ状態となる。トランジスタＱ２がＯＦＦ状態になると、フォトカプラＰＣ１の１次側ダイオードには、後述する補助巻き線電圧Ｖｃｃからプルアップ抵抗Ｒ６を介して電流が流れるため、フォトカプラＰＣ１の２次側トランジスタはＯＮ状態となる。フォトカプラＰＣ１の２次側トランジスタがＯＮ状態になると、Ｚｅｒｏｘ信号の電圧が低下し、ＣＰＵ２０３はＺｅｒｏｘ信号のＬｏｗ状態を検知する。ゼロクロス波形については図３で説明を行う。
【００１６】
上記の特許文献２に開示されるように、ゼロクロス検知部及び、交流電源の全波整流後の電位とＦＧ間に第一容量素子（以降、Ｙコンデンサと称する）を有する電源回路において、ゼロクロスの正確な検知を行うにはＹコンデンサを放電するための第一放電抵抗（以降、Ｙコンデンサ放電抵抗という）が必要であった。Ｃ３及びＣ４は端子雑音等のノイズ対策用に用いるＹコンデンサである。ＹコンデンサＣ３が無い場合（ＹコンデンサＣ４のみを有する場合）にも、本実施例で説明するＹコンデンサ放電抵抗の効果を得ることができる。同様に、ＹコンデンサＣ４が無い場合（ＹコンデンサＣ３のみを有する場合）にも、本実施例で説明するＹコンデンサ放電抵抗の効果を得ることができる。Ｒ３及びＲ４は、ＹコンデンサＣ３及び、Ｃ４を放電するために用いる、Ｙコンデンサ放電抵抗である。Ｄ１及びＤ２は逆流防止用のダイオードである。Ｙコンデンサ放電抵抗の効果は図３で説明する。Ｑ１はＹコンデンサ放電抵抗に流れる電流を遮断するために用いる第一スイッチである高耐圧トランジスタである。本実施例ではＱ１に高耐圧のバイポーラトランジスタを用いているが、ＦＥＴなど他のスイッチ素子を用いても良い。抵抗Ｒ９はトランジスタＱ１を駆動するためのプルアップ抵抗、抵抗Ｒ８はトランジスタＱ１を保護するための抵抗である。
【００１７】
ところで、Ｘコンデンサ放電抵抗Ｒ２も、ＹコンデンサＣ３及びＣ４に充電した電荷を放電する機能を有している。しかしながら、ＹコンデンサＣ３及びＣ４の容量に対して、抵抗値が十分に低くないため、図３で説明するようにＣＲ遅延によるゼロクロス精度が低下してしまう。Ｙコンデンサ放電抵抗Ｒ３及びＲ４は、Ｘコンデンサの放電抵抗のうち、少なくともゼロクロス検知回路２０２に電流を供給するＸコンデンサ放電抵抗Ｒ２よりも、抵抗値が低いことを特徴としている。本実施例の構成では、抵抗Ｒ２はゼロクロス検知抵抗と、Ｘコンデンサ放電抵抗の機能を兼用している。
・Ｘコンデンサ放電抵抗（ゼロクロス検知抵抗）Ｒ２の抵抗値＞Ｙコンデンサ放電抵抗Ｒ３の抵抗値
・Ｘコンデンサ放電抵抗（ゼロクロス検知抵抗）Ｒ２の抵抗値＞Ｙコンデンサ放電抵抗Ｒ４の抵抗値
ＣＰＵ２０３は電源装置２００及び、図１の画像形成装置を制御するために用いている。ＣＰＵ２０３による制御の詳細は、図５のフローチャートで説明する。
【００１８】
次に、電源ケーブル５０が引き抜かれた際に、ＸコンデンサＣ１を放電する方法について説明する。
ＸコンデンサＣ１の充電状態が正（ＮＥＵＴＲＡＬに比べてＬＩＶＥ側の電位が高い）の場合、後述する電源ケーブル抜け検知部（交流電圧の入力が断たれたことを検知する入力電圧検知部）を用いて、電源ケーブルが抜けた状態を検知し、トランジスタＱ１をＯＮ状態にすることで、Ｙコンデンサ放電抵抗Ｒ３、ＢＤ１を介して、ＸコンデンサＣ１の電荷を放電する。（以降、第一放電経路と称する）電源ケーブル抜け検知部は、充電用抵抗Ｒ１１、充電用コンデンサＣ１１、充電用コンデンサＣ１１の放電部から構成されている。電源回路２００は、充電用コンデンサＣ１１の放電部として、抵抗Ｒ１２、抵抗Ｒ１３、トランジスタＱ１１を用いている。ＸコンデンサＣ１の充電状態が負（ＮＥＵＴＲＡＬに比べてＬＩＶＥ側の電位が低い）の場合、抵抗Ｒ１２を介してトランジスタＱ１１がＯＮ状態となり、充電用コンデンサＣ１１の放電を行う。抵抗Ｒ１３はトランジスタＱ１１の保護抵抗である。充電用コンデンサＣ１１は交流電源２０１から交流電圧の半周期毎に、充電用抵抗Ｒ１１によって充電される半周期（第１周期）と、充電用コンデンサＣ１１の放電部（抵抗Ｒ１２、抵抗Ｒ１３、トランジスタＱ１１）によって放電される半周期（第２周期）を繰り返している。交流電源２０１から交流電圧が供給される場合には、充放電が繰り返されているため、充電用コンデンサＣ１１の電圧は低い状態のまま保持される。電源ケーブル５０が引き抜かれ、かつ、ＸコンデンサＣ１の充電状態が正（ＮＥＵＴＲＡＬに比べてＬＩＶＥ側の電位が高い）の場合、ＸコンデンサＣ１から、充電用抵抗Ｒ１１を介して、充電用コンデンサＣ１１に充電電流が流れる。充電用コンデンサＣ１１の電圧が上昇し、所定の閾値以上になった場合に、トランジスタＱ１（第１のスイッチ手段）をＯＮ状態にする。このように、本実施例の電源回路２００では、電源ケーブル抜け検知部を用いて、電源ケーブルが抜けた場合に、トランジスタＱ１をＯＮ状態にすることで、Ｙコンデンサ放電抵抗Ｒ３をＸコンデンサの放電経路として用いることを特徴としている。電源ケーブル５０が引き抜かれた場合にのみ放電を行うため、交流電源２０１から交流電圧が供給されている状態において、第一放電経路における消費電力を抑えることができる。
【００１９】
Ｃ１の充電状態が負（ＮＥＵＴＲＡＬに比べてＬＩＶＥ側の電位が低い）の場合、Ｘコンデンサ放電抵抗Ｒ２、ブリッジダイオードＢＤ１を介して、ＸコンデンサＣ１の電荷が放電される。（以降、第二放電経路と称する）第二放電経路のように、常にＯＮ状態の放電抵抗を用いる場合には、Ｘコンデンサの放電電流によって常に電力が消費される。電源回路２００の、第一放電経路と、第二放電経路の合計した消費電力は、第一放電経路における消費電力をほぼ０に低減可能なため、第一放電経路と第二放電経路の両方に、常にＯＮ状態の放電抵抗を用いる場合に比べて、Ｘコンデンサの放電電流による消費電力を約半減できる。
【００２０】
電源回路２００のＶｃｃはコンバータ１の不図示の補助巻き線から供給される電圧である。補助巻き線電圧ＶｃｃはフォトカプラＰＣ２の１次側のトランジスタを介して供給されている。ＣＰＵ２０３から出力されるＳｔａｎｂｙ信号がＨｉｇｈ状態になると、Ｖｃｃに電力が供給され、ＶｃｃはＨｉｇｈ状態（補助巻き線電圧が出力された状態）になる。ＣＰＵ２０３から出力されるＳｔａｎｂｙ信号がＬｏｗ状態になると、Ｖｃｃには電力が供給されず、ＶｃｃはＬｏｗ状態（基準電位ＤＣＬと同電位の状態）になる。補助巻き線電圧Ｖｃｃによって、ゼロクロス検知部２０２、トランジスタＱ１（第１のスイッチ手段）を駆動させるための電力が供給されている。
【００２１】
電源ＯＦＦ時やスリープ時など、消費電力を抑えた省エネルギー状態（消費電力が低い状態であり第一の状態という）の回路動作について説明する。省エネ状態ではＳｔａｎｂｙ信号がＬｏｗ状態のため、補助巻き線電圧ＶｃｃはＬｏｗ状態となる。ＶｃｃがＬｏｗ状態のため、ゼロクロス検知部２０２の抵抗Ｒ６、フォトカプラＰＣ１の１次側ダイオード、トランジスタＱ２のコレクタ端子には電流が流れない状態となり、消費電力を抑えることができる。また、補助巻き線電圧ＶｃｃがＬｏｗ状態のため、高耐圧トランジスタＱ１はＯＦＦ状態となる。そのため、ＬＩＶＥのラインから抵抗Ｒ３を介して流れる電流及び、ＮＥＵＴＲＡＬのラインから抵抗Ｒ４を介して流れる電流を遮断し消費電力を抑えることができる。この消費電力を抑えた状態では、フォトカプラＰＣ１の２次側トランジスタが常にＯＦＦ状態となるため、Ｚｅｒｏｘ信号は常にＨｉｇｈ状態（ゼロクロスを検知できない状態）となる。
【００２２】
スタンバイ時や画像形成装置のプリント時など、交流電源２０１のゼロクロスを検知可能な状態（第二の状態）の回路動作について説明する。ゼロクロスを検知可能な状態ではＳｔａｎｂｙ信号がＨｉｇｈ状態のため、補助巻き線電圧ＶｃｃはＨｉｇｈ状態となる。補助巻き線電圧ＶｃｃがＨｉｇｈ状態のため、前述したトランジスタＱ１及び、ゼロクロス検知部２０２を駆動する電力が供給されている状態となる。抵抗Ｒ６、フォトカプラＰＣ１の１次側ダイオード、トランジスタＱ２のコレクタ端子には電流が流れる状態となり、ゼロクロス検知部２０２の消費電力は増大してしまう。補助巻き線電圧ＶｃｃがＨｉｇｈ状態では、高耐圧トランジスタＱ１はＯＮ状態となり、ＬＩＶＥのラインから抵抗Ｒ３を介して流れる電流、及び、ＮＥＵＴＲＡＬのラインから抵抗Ｒ４を介して流れる電流によって消費電力が増大する。ゼロクロスを検知可能な状態（第二の状態）では、電源回路２００で消費される電力が大きくなる。
【００２３】
図３は本実施形１のＹコンデンサ放電抵抗Ｒ３及びＲ４の、ゼロクロス検知精度に与える影響を説明するためのシミュレーション図である。本シミュレーションでは、ＸコンデンサＣ１＝０．５６μＦ、ＹコンデンサＣ３＝Ｃ４＝２２００ｐＦ、Ｘコンデンサ放電抵抗Ｒ２＝１７３０ｋΩ、Ｙコンデンサ放電抵抗Ｒ３＝Ｒ４＝１５０ｋΩとしてシミュレーションを行った。
【００２４】
波形３０１は交流電源２０１の電圧波形（２３０Ｖｒｍｓ、５０Ｈｚ）を示している。波形上にゼロクロスＺｅｒｏｘ１、Ｚｅｒｏｘ２、Ｚｅｒｏｘ３、Ｚｅｒｏｘ４を矢印で示している。
【００２５】
波形３０２はＹコンデンサ放電抵抗を通電した状態（第二の状態）におけるゼロクロス波形を示している。波形３０２では、Ｚｅｒｏｘ信号の立下りのタイミングが、交流電源２０１のゼロクロス、Ｚｅｒｏｘ１及び、Ｚｅｒｏｘ３と１致していることが分かる。また、Ｚｅｒｏｘ４のタイミングは、ＣＰＵ２０３の内部で検知することができる。具体的には、まずＣＰＵ２０３によって、Ｚｅｒｏｘ１からＺｅｒｏｘ３までの期間（交流電源２０１の１周期）を算出（本例では２０ｍｓｅｃ）する。Ｚｅｒｏｘ信号の立下りタイミングである、Ｚｅｒｏｘ３から、半周期後（本例では１０ｍｓｅｃ）のタイミングを、Ｚｅｒｏｘ４のタイミングとして、ＣＰＵ２０３は予測している。このように、ゼロクロスの立下りタイミング、もしくは、立上りタイミングの１方が分かれば、立上りと立下りの両方のゼロクロスを検知、及び予測することができる。
【００２６】
波形３０３は、Ｙコンデンサ放電抵抗の効果を説明するために、Ｙコンデンサ放電抵抗を遮断した状態における、ゼロクロス波形を示している。波形３０３では、立上り及び、立下りのタイミングが、波形３０１の交流電源のゼロクロスと１致していないことが分かる。この誤差は、ＹコンデンサＣ３及びＣ４に充電された電荷が、放電されるまでにかかる時間によって生じている。波形３０３の状態では、Ｘコンデンサ放電抵抗Ｒ２と、ＹコンデンサＣ３及び、Ｃ４によるＣＲ遅延によって、ゼロクロスの検知誤差が生じている。
【００２７】
波形３０２では、Ｙコンデンサ放電抵抗Ｒ３及びＲ４の抵抗値が低いため、上述したＣＲ遅延を低減し、ゼロクロスの検知精度を改善することができる。波形３０３の状態におけるゼロクロスの誤差は、交流電源２０１の電圧や、電源部４０におけるＧＮＤへの接地状態によって異なる。そのため、波形３０３のＺｅｒｏｘ信号からは、ゼロクロスのタイミングを正確に検知することは難しい。
【００２８】
波形３０３では、立上り、若しくは、立下りのタイミングや回数に基づき、波形３０１に示した交流電源２０１の周期（周波数）を検知することができる。
【００２９】
図４は電源回路２００のＸコンデンサ放電動作を説明するためのシミュレーション図である。本シミュレーションでは、交流電源２０１の電圧を２３０Ｖｒｍｓ（実効電圧値）、周波数５０Ｈｚ、ＸコンデンサＣ１＝０．５６μＦ、Ｘコンデンサ放電抵抗Ｒ２＝１７３０ｋΩ、Ｙコンデンサ放電抵抗Ｒ３＝Ｒ４＝１５０ｋΩとしてシミュレーションを行った。
【００３０】
図４（ａ）は、ＸコンデンサＣ１の第一放電経路である、電源ケーブル抜け検知部による放電手段について説明する。波形４１１は交流電源２０１の電圧であり、ＸコンデンサＣ１の両端にかかる電圧を示している。本実施例では、ＡＣＯＦＦ１（０．１０ｓｅｃのタイミング）で、電源ケーブル５０が引き抜かれた場合を想定している。波形４１２は第一放電経路に流れる電流波形である。波形４１３は第二放電経路に流れる電流波形である。波形４１４は電源ケーブル抜け検知部の充電用コンデンサＣ１１に充電された電圧を示している。ＡＣＯＦＦ１で電源ケーブル５０が引き抜かれると、波形４１４に示すように、ＸコンデンサＣ１から、充電用抵抗Ｒ１１を介して、充電用コンデンサＣ１１に電流が流れ、充電用コンデンサＣ１１の電圧が上昇する。
【００３１】
充電用コンデンサＣ１１の電圧が上昇して、ダイオードＤ１１の順方向電圧よりも高くなり、ダイオードＤ１１を介して、トランジスタＱ１にベース電流が流れる。ダイオードＤ１１による、閾電圧値を変更する場合には、ツェナーダイオード等を用いても良い。トランジスタＱ１がＯＮ状態になると、第一放電経路である、Ｙコンデンサ放電抵抗Ｒ３に波形４１２に示した電流が流れ、ＸコンデンサＣ１の電荷を放電する。本シミュレーションでは、電源ケーブル５０が引き抜かれてから１秒間で、ＸコンデンサＣ１の電圧が、約３２５Ｖから、約０Ｖに減少していることが分かる。本実施例では、ＸコンデンサＣ１の電圧が、電源ケーブル５０を引き抜かれた１秒後に、少なくとも３６％以下になるように設定を行っている。
【００３２】
図４（ｂ）は、ＸコンデンサＣ１の第二放電経路である、Ｘコンデンサ放電抵抗Ｒ２による放電動作について説明する。
【００３３】
波形４２１は交流電源２０１の電圧であり、ＸコンデンサＣ１の両端にかかる電圧を示している。本実施例では、ＡＣＯＦＦ２（０．１１ｓｅｃのタイミング）で、電源ケーブル５０が引き抜かれた場合を想定している。波形４２２は第一放電経路に流れる電流波形である。波形４２３は第二放電経路に流れる電流波形である。波形４２４は電源ケーブル抜け検知部の充電用コンデンサＣ１１に充電された電圧を示している。
【００３４】
ＡＣＯＦＦ２で電源ケーブル５０が引き抜かれると、波形４２４に示すように、ＸコンデンサＣ１から、充電用コンデンサＣ１１への電流が流れないため、充電用コンデンサＣ１１の電圧は上昇しない。よって、電源ケーブル抜け検知部による放電手段は動作しないため、第一放電経路は波形４２２に示すように、電流が流れない状態となる。
【００３５】
波形４２３では、電源ケーブル５０が引き抜かれたＡＣＯＦＦ２から、第二放電経路に放電電流が流れていることが分かる。波形４２１に示す、Ｘコンデンサの電圧波形は、ＸコンデンサＣ１の容量値と、Ｘコンデンサ放電抵抗Ｒ２の抵抗値によって決まる。本シミュレーションでは、ＸコンデンサＣ１の電圧が、１秒間で３２５Ｖから、１０８Ｖに、約３３％まで電圧が減少していることが分かる。本実施例では、ＸコンデンサＣ１の電圧が、電源ケーブル５０を引き抜かれた１秒後に、約３６％以下になるように設定を行っている。
【００３６】
尚、本実施例では、Ｃ１の充電状態が正（ＮＥＵＴＲＡＬに比べてＬＩＶＥ側の電位が高い）の場合、電源ケーブル抜け検知部を用いてＸコンデンサＣ１の放電（第一放電経路）を行い、Ｃ１の充電状態が負（ＮＥＵＴＲＡＬに比べてＬＩＶＥ側の電位が低い）の場合、Ｘコンデンサ放電抵抗Ｒ２を用いてＸコンデンサＣ１の放電（第二放電経路）を行う方法について説明した。Ｃ１の充電状態が負（ＮＥＵＴＲＡＬに比べてＬＩＶＥ側の電位が低い）の場合、電源ケーブル抜け検知部を用いてＸコンデンサＣ１の放電（第一放電経路）を行い、Ｃ１の充電状態が正（ＮＥＵＴＲＡＬに比べてＬＩＶＥ側の電位が高い）の場合、Ｘコンデンサ放電抵抗を用いてＸコンデンサＣ１の放電（第二放電経路）を行う場合についても、本提案の構成は有効である。
【００３７】
図５は本実施形１のＣＰＵ２０３による、電源回路２００の制御シーケンスを説明するフローチャートである。Ｓ５００で制御開始すると、Ｓ５０１に進む。Ｓ５０１では、Ｓｔａｎｂｙ信号をＨｉｇｈ状態にして、ゼロクロス検知部２０２への電力供給し、Ｙコンデンサ放電抵抗Ｒ３及び、Ｒ４を通電状態にする（第二の状態ともいう）。
【００３８】
この第二の状態で電源ケーブル５０が引き抜かれた場合には、トランジスタＱ１がＯＮ状態のため、Ｙコンデンサ放電抵抗Ｒ３及び、Ｒ４によって、ＸコンデンサＣ１の放電を行う。
【００３９】
Ｓ５０２では、Ｚｅｒｏｘ信号の立下りタイミングに基づき、交流電源２０１のゼロクロスを検知する。本実施例では、Ｚｅｒｏｘの立下りタイミングが、ゼロクスのタイミングと一致するように調整を行った場合について説明している。Ｚｅｒｏｘの立ち上りタイミングが、ゼロクスのタイミングと一致するように調整を行った場合は、Ｚｅｒｏｘ信号の立ち上りタイミングに基づき、交流電源２０１のゼロクロスを検知すれば良い。
【００４０】
以上の処理を、Ｓ５０３でスタンバイ状態終了を判断するまで繰り返し行い、スタンバイ状態の終了を判断すると、Ｓ５０４に進む。
【００４１】
Ｓ５０４において、Ｓｔａｎｂｙ信号をＬｏｗ状態にして、ゼロクロス検知部２０２への電力供給を遮断し、Ｙコンデンサ放電抵抗Ｒ３及び、Ｒ４を遮断状態にする（第一の状態）。
【００４２】
この第一の状態で電源ケーブル５０が引き抜かれた場合には、前述したＸコンデンサ放電抵抗Ｒ２及び、電源ケーブル抜け検知部によって、ＸコンデンサＣ１の放電を行う。
上述した処理を終了した後に、Ｓ５０５で制御を終了する。
【００４３】
本実施例の電源回路２００は、以下の１．〜４．の特徴を有している。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３、Ｒ４に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３を用いてＸコンデンサを放電する。
４．抵抗Ｒ２を、ゼロクロス検知部２０２のゼロクロス検知抵抗及び、Ｘコンデンサの放電抵抗として兼用する。
【００４４】
これら１〜４の特徴により、１つの高耐圧トランジスタＱ１を使って、ゼロクロス検知部２０２の省エネ状態と、ゼロクロス検知可能な状態を切り替えることができ、かつ上述した高耐圧トランジスタＱ１を、電源ケーブル抜け検知部のＸコンデンサ放電手段として用いることができる。このように、電源回路２００では、ゼロクロス検知部を有する電源回路の消費電力を低減可能であり、かつ、簡易な構成で電源ケーブルが引き抜かれた際にＸコンデンサを放電できる。
【００４５】
次に、本実施例の変形例について図２（ｂ）に基づき説明する。なお、図２（ａ）で説明した同様の構成については説明を省略する。
【００４６】
図２（ｂ）の構成では、図２（ａ）の構成に対して、抵抗Ｒ２、Ｒ１２、Ｒ１１の接続先を、ＬＩＶＥとＮＥＴＵＲＡＬを入れ替えた構成の例を示す。図２（ｂ）において、電源ケーブル５０が引き抜かれた際に、ＸコンデンサＣ１を放電する方法について説明する。ＸコンデンサＣ１の充電状態が負（ＮＥＵＴＲＡＬに比べてＬＩＶＥ側の電位が低い）の場合、電源ケーブル抜け検知部（交流電圧の入力が断たれたことを検知する入力電圧検知部）を用いて、電源ケーブルが抜けた状態を検知し、トランジスタＱ１をＯＮ状態にすることで、Ｙコンデンサ放電抵抗Ｒ４、ＢＤ１を介して、ＸコンデンサＣ１の電荷を放電する（第一放電経路）。Ｃ１の充電状態が正（ＮＥＵＴＲＡＬに比べてＬＩＶＥ側の電位が高い）の場合、Ｘコンデンサ放電抵抗Ｒ２、ブリッジダイオードＢＤ１を介して、ＸコンデンサＣ１の電荷が放電される（第二放電経路）。
【００４７】
以上、図２（ｂ）に示したように、Ｃ１の充電状態が正（ＮＥＵＴＲＡＬに比べてＬＩＶＥ側の電位が高い）の場合、第二放電経路をもちいて、ＸコンデンサＣ１の電荷が放電し、Ｃ１の充電状態が負（ＮＥＵＴＲＡＬに比べてＬＩＶＥ側の電位が低い）の場合、第一放電経路をもちいて、ＸコンデンサＣ１の電荷が放電した場合においても、図２（ａ）で説明したのと同様の効果を得ることができる。
【００４８】
（実施例２）
次に、図６により電圧検知部６０５を有する、実施例２の電源回路６００を説明する。
実施例１と同様の構成については説明を省略する。ブリッジダイオードＢＤ１及び、コンデンサＣ２で全波整流された後段には、第一コンバータであるコンバータ１及び、第二コンバータであるコンバータ２が並列接続されている。コンバータ２は絶縁型ＤＣ／ＤＣコンバータであり、１次側のＤＣ電圧から、２次側にＤＣ電圧Ｖ２を出力している。
【００４９】
Ｙコンデンサ放電抵抗Ｒ３及び、Ｒ４に流れる電流は、コンデンサＣ６１に充電される。Ｒ６３は放電抵抗である。抵抗Ｒ６４及びコンデンサＣ６２で平滑された電圧Ｖｉｎは電圧検知部６０５へ入力される。交流電源２０１の電圧が低下すると、コンデンサＣ６１への充電電流が低下し、電圧検知部６０５の検知電圧Ｖｉｎは低下する。電圧検知部６０５は、電圧Ｖｉｎが所定の閾電圧値Ｖｔｈ以下になった場合に、ＶｏｕｔをＬｏｗ状態とし、コンバータ２の出力を停止する。コンバータ２の出力が停止し、出力電圧Ｖ２の電圧が低下すると、出力電圧Ｖ２をＲ６５及びＲ６６によって分圧された信号、Ｖ２ｓｅｎｓｅの電圧は低下する。ＣＰＵ６０３は、Ｖ２ｓｅｎｓｅ信号によって、コンバータ２が停止したことを判断する。このように、本実施例の電源回路６００は、交流電源２０１が、停電状態などで出力が低下した場合に、コンバータ２を停止し、交流電源２０１の電圧が低下した状態を検知する手段を有している。
【００５０】
本実施例の電源回路６００は、トランジスタＱ１（第１のスイッチ）をＯＦＦ状態にすることで、Ｙコンデンサ放電抵抗Ｒ３及びＲ４に電流を遮断すると共に、電圧検知部６０５によって消費する電力も低減できること特徴としている。
【００５１】
図７は本実施形３のＣＰＵ６０３による、電源回路６００の制御シーケンスを説明するフローチャートである。Ｓ７００で制御開始すると、Ｓ７０１に進む。Ｓ７０１では、Ｓｔａｎｂｙ信号をＨｉｇｈ状態にして、コンバータ２、ゼロクロス検知部２０２、電圧検知部６０５への電力供給し、Ｙコンデンサ放電抵抗Ｒ３及び、Ｒ４を通電状態にする（第二の状態）。
【００５２】
Ｓ７０２では、電圧検知部６０５の入力電圧Ｖｉｎが、閾電圧Ｖｔｈより小さい電圧かを判断する。入力電圧Ｖｉｎの電圧が低い場合はＳ７０３に遷移しコンバータ２を停止する。入力電圧Ｖｉｎの電圧が高い場合はＳ７０４でコンバータ２を起動（既にコンバータ２が起動している場合には、起動している状態を継続する。）する。
【００５３】
Ｓ７０５ではＶ２ｓｅｎｓｅ信号に基づき、停電状態を判断する。Ｖ２ｓｅｎｓｅがＬｏｗ状態となった場合、電源２０１の電圧が低下した状態を検知しＳ７０８に遷移する。Ｓ７０８では、Ｓｔａｎｂｙ信号をＬｏｗ状態にして、コンバータ２を停止し（既にコンバータ２が停止している場合には、停止している状態を継続する。）、ゼロクロス検知部２０２、電圧検知部６０５への電力供給を遮断し、Ｙコンデンサ放電抵抗Ｒ３及び、Ｒ４を遮断状態にする（第一の状態）。尚、Ｓ７０３でコンバータ２が停止した場合にも、Ｓ７０５でＶ２ｓｅｎｓｅのＬｏｗ状態を検出する前に、交流電源２０１の電圧が上昇し、Ｓ７０２で閾電圧Ｖｔｈより大きい電圧を検知した場合には、Ｓ７０４でコンバータ２を起動し、制御を継続する。
【００５４】
Ｓ７０６では、Ｚｅｒｏｘ信号の立下りタイミングに基づき、交流電源２０１のゼロクロスを検知する。
以上の処理を、Ｓ７０７でスタンバイ状態終了を判断するまで繰り返し行い、上述したＳ７０８の処理を終了した後に、Ｓ７０９で制御を終了する。
【００５５】
本実施例の電源回路６００は、以下の１．〜５．の特徴を有する。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３、Ｒ４に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３を用いてＸコンデンサを放電する。
４．抵抗Ｒ２を、ゼロクロス検知部２０２のゼロクロス検知抵抗及び、Ｘコンデンサの放電抵抗として兼用する。
５．Ｙコンデンサ放電抵抗Ｒ３及びＲ４に流れる電流を用いて、電圧を検知する電圧検知部６０５を有する。
これらの特徴により、ゼロクロス検知部及び電圧検知部を有する電源回路の消費電力を低減可能であり、かつ、簡易な構成で電源ケーブルが引き抜かれた際にＸコンデンサを放電できる。
【００５６】
（実施例３）
次に、図８により実施例３の電源回路８００を説明する。本実施例では、ゼロクロス検知部８０２を、電源ケーブル抜け検知部の、充電用コンデンサＣ１１の放電手段として用いることを特徴とする。なお実施例１と同様の構成については説明を省略する。
【００５７】
電源回路８００における、ＸコンデンサＣ１の放電方法について説明する。電源ケーブル５０が引き抜かれ、かつ、Ｃ１の充電状態が正（ＮＥＵＴＲＡＬに比べてＬＩＶＥ側の電位が高い）の場合、電源ケーブル抜け検知部を用いて、Ｘコンデンサの放電を行う。（第一放電経路）電源ケーブル抜け検知部は、充電用抵抗Ｒ１１、充電用コンデンサＣ１１、充電用コンデンサＣ１１の放電部（本実施例では、ゼロクロス検知部８０２が充電用コンデンサＣ１１の放電部を兼ねている。）から構成されている。
【００５８】
充電用コンデンサＣ１１は交流電源２０１の周期ごとに、充電用抵抗Ｒ１１によって充電される半周期（第１周期）と、ゼロクロス検知部８０２によって放電される半周期（第２周期）を繰り返している。交流電源２０１から交流電圧が供給される場合には、充放電が繰り返されているため、充電用コンデンサＣ１１の電圧は低い状態のまま保持される。
【００５９】
ゼロクロス検知部８０２を、充電用コンデンサＣ１１の放電部として用いる方法を説明する。前述したように、交流電源２０１から供給される、ＮＥＵＴＲＡＬラインの電位がＬＩＶＥラインの電位より高い場合、トランジスタＱ２はＯＮ状態となる。この時、ダイオードＤ８２を介して充電用コンデンサＣ１１から放電を行う。ダイオードＤ８１及びダイオードＤ８２は逆流防止用ダイオードである。ゼロクロス検知部８０２は、交流電源２０１のゼロクロスを検知すると共に、充電用コンデンサＣ１１の放電部としての機能を有している。電源ケーブル５０が引き抜かれ、かつ、ＸコンデンサＣ１の充電状態が正（ＮＥＵＴＲＡＬに比べてＬＩＶＥ側の電位が高い）の場合、ＸコンデンサＣ１から、充電用抵抗Ｒ１１を介して、充電用コンデンサＣ１１に充電電流が流れる。充電用コンデンサＣ１１の電圧が上昇し、所定の閾電圧値以上になった場合に、トランジスタＱ１（第１のスイッチ手段）をＯＮ状態にする。
【００６０】
Ｃ１の充電状態が負（ＮＥＵＴＲＡＬに比べてＬＩＶＥ側の電位が低い）の場合、Ｘコンデンサ放電抵抗Ｒ２、ブリッジダイオードＢＤ１を介して、ＸコンデンサＣ１の電荷が放電される。（第二放電経路）
【００６１】
本実施例の電源回路８００は、以下の１．〜５．の特徴を有する。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３、Ｒ４に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３を用いてＸコンデンサを放電する。
４．抵抗Ｒ２を、ゼロクロス検知部２０２のゼロクロス検知抵抗及び、Ｘコンデンサの放電抵抗として兼用する。
５．ゼロクロス検知部６０２を、電源ケーブル抜け検知部の、充電用コンデンサＣ１１の放電手段として用いる。
これらの特徴により、ゼロクロス検知部を有する電源回路の消費電力を低減可能であり、かつ、簡易な構成で電源ケーブルが引き抜かれた際にＸコンデンサを放電できる。
【００６２】
（実施例４）
次に、図９により実施例４の電源回路９００を説明する。なお。実施例１と同様の構成については説明を省略する。
【００６３】
なお、ＸコンデンサＣ１の充電状態が正（ＮＥＵＴＲＡＬに比べてＬＩＶＥ側の電位が高い）の場合と、ＸコンデンサＣ１の充電状態が負（ＮＥＵＴＲＡＬに比べてＬＩＶＥ側の電位が低い）の場合の両方を、電源ケーブル抜け検知部を用いて、ＸコンデンサＣ１の放電を行う場合について説明する。
【００６４】
電源ケーブル５０が引き抜かれた際に、ＸコンデンサＣ１を放電する方法について説明する。
第１の電源ケーブル抜け検知部は、ＸコンデンサＣ１の充電状態が正（ＮＥＵＴＲＡＬに比べてＬＩＶＥ側の電位が高い）の場合に、電源ケーブルの抜け状態を検知するために用いている。第１の電源ケーブル抜け検知部は、充電用抵抗Ｒ１１、充電用コンデンサＣ１１、充電用コンデンサＣ１１の放電部から構成されている。電源回路９００は、充電用コンデンサＣ１１の放電部として、抵抗Ｒ１２、抵抗Ｒ１３、トランジスタＱ１１を用いている。
【００６５】
第２の電源ケーブル抜け検知部は、ＸコンデンサＣ１の充電状態が負（ＮＥＵＴＲＡＬに比べてＬＩＶＥ側の電位が低い）の場合に、電源ケーブルの抜け状態を検知するために用いている。第２の電源ケーブル抜け検知部は、充電用抵抗Ｒ９１、充電用コンデンサＣ９１、充電用コンデンサＣ９１の放電部から構成されている。電源回路９００は、充電用コンデンサＣ９１の放電部として、抵抗Ｒ９２、抵抗Ｒ９３、トランジスタＱ９１を用いている。Ｄ９１はダイオードである。
【００６６】
電源ケーブル５０が引き抜かれ、かつ、ＸコンデンサＣ１の充電状態が正（ＮＥＵＴＲＡＬに比べてＬＩＶＥ側の電位が高い）の場合、ＸコンデンサＣ１から、充電用抵抗Ｒ１１を介して、充電用コンデンサＣ１１に充電電流が流れる。充電用コンデンサＣ１１の電圧が上昇し、所定の閾値以上になった場合に、トランジスタＱ１（第１のスイッチ手段）をＯＮ状態にする。
【００６７】
電源ケーブル５０が引き抜かれ、かつ、ＸコンデンサＣ１の充電状態が負（ＮＥＵＴＲＡＬに比べてＬＩＶＥ側の電位が低い）の場合、ＸコンデンサＣ１から、充電用抵抗Ｒ９１を介して、充電用コンデンサＣ９１に充電電流が流れる。充電用コンデンサＣ９１の電圧が上昇し、所定の閾値以上になった場合に、トランジスタＱ１（第１のスイッチ手段）をＯＮ状態にする。
【００６８】
本実施例の電源回路９００では、実施例１で説明したゼロクロス検知抵抗Ｒ２に比べて、ゼロクロス検知抵抗Ｒ９０の抵抗値が高く、ＸコンデンサＣ１の電圧を、所定の時間内に放電することができない場合について説明している。電源回路９００ではゼロクロス検知抵抗Ｒ９０の抵抗値が高く、Ｘコンデンサの放電抵抗としての機能を満足しないため、第２の電源ケーブル抜け検知部が必要になる。しかしながら、電源回路９００では、ゼロクロス検知抵抗Ｒ９０の抵抗値が高いため、電源回路２００に比べて更に消費電力を低減できる。
【００６９】
本実施例の電源回路９００は、以下の１．〜３．の特徴を有する。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３、Ｒ４に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３、Ｒ４を用いてＸコンデンサを放電する。
【００７０】
これらの特徴により、ゼロクロス検知部を有する電源回路の消費電力を低減可能であり、かつ、簡易な構成で電源ケーブルが引き抜かれた際にＸコンデンサを放電できる。
【００７１】
（実施例５）
次に、図１０により実施例５の電源回路１０００を説明する。尚、実施例１と同様の構成については説明を省略する。ＸコンデンサＣ１の後段に電流ヒューズＦＵ１０２を持つ構成について説明する。
【００７２】
ＦＵ１０１及び、ＦＵ１０２は電流ヒューズである。ＦＵ１０１は像加熱装置１００及び、電源回路１０００を含む、装置全体に供給される電流が過剰になった場合に、交流電源２０１からの電力供給を遮断するために用いる電流ヒューズである。
【００７３】
ＦＵ１０２はコンバータ１の回路（ブリッジダイオードＢＤ１の後段に接続された回路）に、過剰な電流が流れた場合に、電力供給を遮断するために用いる電流ヒューズである。ＦＵ１０２はコンバータ１に供給される電流のみが流れる。そのため、装置全体に供給される電流が流れるＦＵ１０１に比べて、ＦＵ１０２には溶断電流の低い電流ヒューズを用いることができる。よって、ＦＵ１０１のみを用いる場合に比べて、早期にヒューズを切ることができる。
【００７４】
Ｌ１００はノイズを低減するために用いるコモンモードチョークコイル、Ｃ１０１はＸコンデンサである。このようにＸコンデンサＣ１、コモンモードチョークコイルＬ１００、ＸコンデンサＣ１０１を用いたノイズフィルタ構成では、溶断電流の低い、電流ヒューズＦＵ１０２をＸコンデンサＣ１の前段に配置することができないことが分かる。（ＸコンデンサＣ１の前段にヒューズＦＵ１０２を設けると、ＦＵ１０２に、像加熱装置１００に供給される電流が流れてしまうため、溶断電流の低いヒューズを用いることができない。）
【００７５】
電源回路１０００において、電流ヒューズＦＵ１０２が溶断した状態になると、ＸコンデンサＣ１の充電状態が負（ＮＥＵＴＲＡＬに比べてＬＩＶＥ側の電位が低い）の場合の放電経路が遮断されるため、Ｘコンデンサ放電抵抗Ｒ２、ブリッジダイオードＢＤ１を介して、ＸコンデンサＣ１を放電できなくなる。尚、電流ヒューズＦＵ１０２が溶断した状態では、ＸコンデンサＣ１０１からの感電経路は、電流ヒューズＦＵ１０２によって遮断されるため、ユーザが電源ケーブルを抜いた際の感電を防止できる。そのため、電流ヒューズＦＵ１０２が遮断した状態においては、ＸコンデンサＣ１０１を素早く放電する必要はない。
【００７６】
同様に、電流ヒューズＦＵ１０１が溶断した状態では、ＸコンデンサＣ１及びＸコンデンサＣ１０１からの感電経路は、電流ヒューズＦＵ１０１によって遮断されるため、ユーザが電源ケーブルを抜いた際の感電を防止できる。そのため、電流ヒューズＦＵ１０１が遮断した状態においては、ＸコンデンサＣ１及び、Ｃ１０１を素早く放電する必要はない。
【００７７】
本実施例の電源回路１０００は、電流ヒューズＦＵ１０２が溶断した状態における、第三放電経路として、抵抗Ｒ１０１及び、ダイオードＤ１０２を有することを特徴としている。電流ヒューズＦＵ１０２が遮断した状態においても、Ｘコンデンサ放電抵抗Ｒ２、抵抗Ｒ１０１、ダイオードＤ１０２を介して、ＸコンデンサＣ１を放電することができる。
【００７８】
本実施例の電源回路１０００は、以下の１．〜６．の特徴を有する。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３、Ｒ４に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３を用いてＸコンデンサを放電する。
４．抵抗Ｒ２を、ゼロクロス検知部２０２のゼロクロス検知抵抗及び、Ｘコンデンサの放電抵抗として兼用する。
５．ＸコンデンサＣ１の後段に電流ヒューズＦＵ１０２を有する。
６．電流ヒューズＦＵ１０２の前段に、第三放電経路としてＲ１０１、ダイオードＤ１０２を有する。
【００７９】
これらの特徴により、ゼロクロス検知部を有する電源回路の消費電力を低減可能であり、かつ、簡易な構成で電源ケーブルが引き抜かれた際にＸコンデンサを放電できる。
【００８０】
（実施例６）
次に、図１１により実施例６の電源回路１１００を説明する。実施例１と同様の構成については説明を省略する。なお、Ｙコンデンサ放電抵抗として、Ｒ３のみを有する構成について説明する。
【００８１】
図１１の電源回路１１００は、Ｙコンデンサ放電抵抗として、Ｒ３のみを有している。外部電源部４０の接地の状態が、図１１に示すように、ＮＥＵＴＲＡＬラインがＧＮＤに接地されており、Ｙコンデンサとして、Ｃ４のみを有する場合の例を示している。外部電源部４０の接地の状態や、Ｙコンデンサの接続状態が限定されるが、電源回路２００で説明した２つのＹコンデンサ放電抵抗（Ｒ３、Ｒ４）のうち、どちらか一方でも、交流電源２０１のゼロクロスを検知することができる。電源回路１１００では電源回路２００よりも少ない回路構成で、ゼロクロスを検知できる状態と、消費電力を低減できる状態を切り替えることができる。
【００８２】
本実施例の電源回路１１００は、以下の１．〜４．の特徴を有する。
１．トランジスタＱ１を遮断状態にした第一の状態と、トランジスタＱ１を通電状態にした第二の状態とを有する。
２．トランジスタＱ１を、Ｙコンデンサの放電抵抗Ｒ３に流れる電流を遮断する手段として用いる。
３．電源ケーブル抜け検知部がＸコンデンサを放電する手段として、トランジスタＱ１をＯＮ状態とし、Ｙコンデンサの放電抵抗Ｒ３を用いてＸコンデンサを放電する。
４．抵抗Ｒ２を、ゼロクロス検知部２０２のゼロクロス検知抵抗及び、Ｘコンデンサの放電抵抗として兼用する。
これらの特徴により、ゼロクロス検知部を有する電源回路の消費電力を低減可能であり、かつ、簡易な構成で電源ケーブルが引き抜かれた際にＸコンデンサを放電できる。
【符号の説明】
【００８３】
１００  像加熱装置
２００  電源回路
２０２  ゼロクロス検知部
Ｃ１  Ｘコンデンサ
Ｃ３、Ｃ４  Ｙコンデンサ
Ｒ２  ゼロクロス検知抵抗（Ｘコンデンサ放電抵抗と兼用）
Ｒ３、Ｒ４  Ｙコンデンサ放電抵抗
Ｒ１１  電源ケーブル抜け検知部の充電用抵抗
Ｃ１１  電源ケーブル抜け検知部の充電用コンデンサ
Ｒ１２、Ｒ１３、Ｑ１１  充電用コンデンサＣ１１の放電部
Ｑ１  第一スイッチ（高耐圧トランジスタ）
ＢＤ１  ブリッジダイオード
【図１】
0005904807.tif 000002
【図２（ａ）】
0005904807.tif 000003
【図２（ｂ）】
0005904807.tif 000004
【図３】
0005904807.tif 000005
【図４】
0005904807.tif 000006
【図５】
0005904807.tif 000007
【図６】
0005904807.tif 000008
【図７】
0005904807.tif 000009
【図８】
0005904807.tif 000010
【図９】
0005904807.tif 000011
【図１０】
0005904807.tif 000012
【図１１】
0005904807.tif 000013